(57)【要約】  部品点数を削減することができる乗客コンベヤ装置の提供。乗客コンベヤ装置は、循環移動される複数の踏段と、複数の踏段と同期して循環移動される移動手摺と、複数の踏段及び移動手摺を支持するトラスとを備える。複数の踏段の側方には、スカートガードが設けられている。複数の踏段にはそれぞれ少なくとも一つのローラが設けられている。ローラは、対応するレールによって案内される。レールは、トラスに支持されたレール支持板に固定されている。スカートガード及び移動手摺の少なくとも一方は、レール支持板に固定されている。
2013103016.tif 000002
【特許請求の範囲】
【請求項１】
循環移動される複数の踏段と、
前記複数の踏段と同期して循環移動される移動手摺と、
前記複数の踏段及び前記移動手摺を支持するトラスとを備え、
前記複数の踏段の側方には、スカートガードが設けられており、
前記複数の踏段にはそれぞれ少なくとも一つのローラが設けられており、
前記ローラは、対応するレールによって案内されており、
前記レールは、前記トラスに支持されたレール支持板に固定されており、
前記スカートガード及び前記移動手摺の少なくとも一方が、前記レール支持板に固定されている、
乗客コンベヤ装置。
【請求項２】
前記トラスに支持された前記レール支持板には、前記レール、前記スカートガード及び前記移動手摺が固定されている、
請求項１の乗客コンベヤ装置。
【請求項３】
前記踏段の側部には、ガイドパッドが取り付けられており、
前記複数の踏段は、前記ガイドパッドが前記スカートガードに当接することによって、幅方向の余分な移動が規制される、
請求項２の乗客コンベヤ装置。
【請求項４】
前記トラス及び前記レール支持板にはそれぞれ、長穴が形成されており、
前記トラスの前記長穴と、前記レール支持板の前記長穴とを、貫通する締結部材によって、該トラス及び該レール支持板が連結されており、
前記トラスの前記長穴の延びる方向と、前記レール支持板の前記長穴の延びる方向とは、穴の貫通方向でみて異なっている、
請求項１乃至３の何れか一項の乗客コンベヤ装置。
【発明の詳細な説明】
【技術分野】
【０００１】
本発明は、乗客コンベヤ装置に関するものである。
【背景技術】
【０００２】
特許文献１に例示されるように、エスカレータ等の乗客コンベヤ装置には、利用者が乗る複数の踏段が設けられており、それら踏段にはそれぞれ、駆動ローラや追従ローラである複数のローラが設けられている。さらに、乗客コンベヤ装置には、それらローラを案内・支持する複数のレールが設けられている。また、乗客コンベヤ装置には、利用者が手を添える移動手摺が周回移動するように設けられている。移動手摺の帰路側の部分は、スカートガードの内側において、手摺支持部材によって支持されている。【０００３】
しかしながら、従来の乗客コンベヤ装置では、複数のレール、スカートガード、手摺支持部材は、それぞれが個別の専用ブラケットを介して、トラスの縦部材に対して支持されていた。そのため、多数の専用ブラケットを用いることとなり、部品点数がかなり多くなるという問題がある。
【先行技術文献】
【特許文献】
【０００４】
【特許文献１】特開２００３−２０１０８３号公報
【発明の概要】
【発明が解決しようとする課題】
【０００５】
本発明は、上記に鑑みてなされたものであり、部品点数を削減することができる乗客コンベヤ装置を提供することを目的とする。
【課題を解決するための手段】
【０００６】
上述した目的を達成するため、本発明の乗客コンベヤ装置は、循環移動される複数の踏段と、前記複数の踏段と同期して循環移動される移動手摺と、前記複数の踏段及び前記移動手摺を支持するトラスとを備え、前記複数の踏段の側方には、スカートガードが設けられており、前記複数の踏段にはそれぞれ少なくとも一つのローラが設けられており、前記ローラは、対応するレールによって案内されており、前記レールは、前記トラスに支持されたレール支持板に固定されており、前記スカートガード及び前記移動手摺の少なくとも一方が、前記レール支持板に固定されている。
【発明の効果】
【０００７】
本発明の乗客コンベヤ装置によれば、スカートガード又は移動手摺の支持に関して、部品点数を削減することができる。
【図面の簡単な説明】
【０００８】
【図１】本発明の実施の形態に係るエスカレータ装置の全体の側面図である。
【図２】図１のＩＩ−ＩＩ線に沿って下方側からみたときのレール支持構造を示す図である。
【図３】図１のＩＩＩ−ＩＩＩ線に沿って上方側からみたときのレール支持構造を示す図である。
【図４】図２のＩＶ部の拡大図である。
【図５】図２のＶ部の拡大図である。
【図６】図２及び図３におけるＶＩ部の分解斜視図である。
【図７】レール支持板の長穴と縦部材の長穴との関係を投影的に示す図である。
【発明を実施するための形態】
【０００９】
以下、本発明に係る乗客コンベヤ装置を、エスカレータ装置として実施した場合の実施の形態について添付図面に基づいて説明する。なお、図中、同一符号は同一又は対応部分を示すものとする。また、
【００１０】
図１は、本実施の形態に係るエスカレータ装置の全体の側面図である。また、図２は、図１のＩＩ−ＩＩ線に沿って下方側からみたときのレール支持構造を示す図であり、図３は、図１のＩＩＩ−ＩＩＩ線に沿って上方側からみたときのレール支持構造を示す図である。図４及び図５はそれぞれ、図２のＩＶ部及びＶ部の拡大図である。
【００１１】
エスカレータ１は、上下斜めに延びるトラス３を備えており、トラス３は、その上下端部において、建築構造物の梁５に支持されている。トラス３には、無端状に連結された複数の踏段７が乗員搬送部として設けられている。複数の踏段７は、トラス３内に設けられる周知の駆動機（図示せず）の駆動力によって、上部乗降口９ａ及び下部乗降口９ｂの間を循環移動される。
【００１２】
踏段７の左右両側には、欄干１１が立設されている。欄干１１はそれぞれ、トラス３の長手方向に沿って延びており、トラス３の上部に支持されている。また、欄干１１のそれぞれには、踏段７の進行と同期して移動される移動手摺１３が設けられている。移動手摺１３は、無端状をなすベルト状部材であり、欄干１１の前後上下の外周において循環移動するように設けられている。
【００１３】
図２〜図５に基づいて、踏段のローラを案内するレールの支持構造の概要を説明する。なお、一例として、本実施の形態のレールの支持構造は、左右対称的に構成されている。トラス３は、複数の主枠２１と、複数の縦部材２３と、複数の横部材２５とを含んでいる。縦部材２３は、上側の主枠２１と、下側の主枠２１との間を延びるように設けられている。また、左右の縦部材２３は、対応する横部材２５によって接続されている。
【００１４】
複数の踏段７の左右両側部には、既知の駆動ローラや追従ローラである複数のローラ２７が設けられている。各ローラ２７は、対応するレール２９によって支持されており、ローラ２７の移動は、レール２９によって案内される。
【００１５】
複数の踏段７の左右両側方には、スカートガード３１が設けられている。また、図４及び図５に示されるように、踏段７の側部には、ガイドパッド３３が取り付けられている。ガイドパッド３３は、図４の往路側（利用者が使用する側）の状態に示されるように、スカートガード３１と、踏段７との間に位置しており、ガイドパッド３３がスカートガード３１に当接することによって、踏段７は、幅方向（図２〜図５の紙面左右方向）の余分な移動（望ましくない過度の移動）が規制される。なお、このガイドパッド３３は、踏段７の復路側（利用者が使用しない側）では、図５に示されるように、レール２９と当接することによって、復路側でも踏段７の幅方向の余分な移動が規制される。したがって、本実施の形態では、エスカレータ１全体にわたって、踏段７の幅方向の余分な移動が規制される。
【００１６】
トラス３における縦部材２３には、レール支持板３５が取り付けられている。レール支持板３５は、本実施の形態では、ボルト等の締結部材３７によって縦部材２３に固定されている。
【００１７】
前述したレール２９は、レール支持板３５に固定されている。レール支持板３５には更に、スカートガード３１及び移動手摺１３の少なくとも一方が固定されており、本実施の形態では、スカートガード３１及び移動手摺１３の両方がレール支持板３５に固定されている。すなわち、本実施の形態では、レール２９、スカートガード３１及び移動手摺１３の三種類の対象が、共通の固定先としてレール支持板３５に固定されている。
【００１８】
さらに、レール支持板３５の縦部材２３への固定態様について詳細に説明する。図６は、図２及び図３におけるＶＩ部の分解斜視図であり、図７は、レール支持板の長穴と縦部材の長穴との関係を投影的に示す図である。
【００１９】
図６に示されるように、縦部材２３及びレール支持板３５のそれぞれには、長穴３９，４１が形成されている。前述の締結部材３７は、これら長穴３９，４１を貫通するように配置され、締結部材３７の先端には、ナット等の留め部材４３が接続される。このようにして、レール支持板３５及び縦部材２３は連結される。
【００２０】
また、縦部材２３の長穴３９の延びる方向と、レール支持板３５の長穴４１の延びる方向とは、図７に示されるように、連結時の穴の貫通方向に投影的にみて、相互に異なっている。本実施の形態の具体例では、縦部材２３の長穴３９の延びる方向と、レール支持板３５の長穴４１の延びる方向とは、貫通方向に投影的にみて、交差するように異なっており、一例として、相互に直交する関係となっている。
【００２１】
以上のように構成されたエスカレータでは、レールと、スカートガード及び移動手摺の少なくとも一方とを、同一部品で支持することから、部品点数を削減することができる。すなわち、レールとスカートガードとをレール支持板で支持すれば、従来必要であったスカートガード固定用のブラケットを廃止することができ、レールと移動手摺とをレール支持板で支持すれば、従来必要であった移動手摺固定用のブラケットを廃止することができ、何れにおいても、部品点数を削減することができる。
【００２２】
さらに、レール、スカートガード及び移動手摺の三種類の対象がレール支持板に固定されている場合、それぞれを別個の専用部材によってトラスに支持させる態様に比べ、部品点数を大幅に減少させることができる。従来必要であったスカートガード固定用のブラケットと、移動手摺固定用のブラケットとを両方とも、廃止することができる。
【００２３】
また、レール、スカートガード及び移動手摺の三種類の対象がレール支持板に固定されている場合、三種類の対象が同一部品で支持されることから、レール支持板の位置合わせを実施することで、レール、スカートガード及び移動手摺の位置合わせまで同時に実施することができ、工場及び／又は現場での作業時間を大幅に削減することができる。
【００２４】
すなわち、従来の乗客コンベヤ装置では、複数のレール、スカートガード、手摺支持部材は、それぞれが個別に、トラスの縦部材に対して支持されていたので、従来は、乗客コンベヤ装置の据付現場において、複数のレール、スカートガード、手摺支持部材の設置位置をそれぞれ、個別に位置合わせする必要があり、設置作業が煩雑になる問題があった。かかる問題に対し、本実施の形態であれば、上記のようにレール、スカートガード及び移動手摺の位置合わせを同時に行うことができ、作業の煩雑化を抑えることができる。
【００２５】
また、従来の乗客コンベヤ装置では、複数の踏段の幅方向の拘束は、各踏段の左右に設けられた複数のローラを、対応するレールで拘束することによって達成されていた。このため、従来は、レールの位置合わせを実施した後、踏段とスカートガードとの隙間を確認しながらスカートガードの幅方向の位置合わせも実施することとなり、作業に長時間を要することとなっていた。これに対し、本実施の形態では、レール支持板の位置合わせにより踏段とスカートガードとの位置合わせを同時に行うことができ、且つ、その位置合わせされた踏段の側面のガイドパッドと、位置合わせされたスカートガードとの当接によって、踏段の幅方向の余分な移動を規制することができる。よって、踏段の幅方向の拘束のための作業を、簡単且つ速やかに完了させることができる。
【００２６】
また、本実施の形態では、トラスの長穴とレール支持板の長穴とを貫通する締結部材によって、トラス及びレール支持板が連結されているので、据付現場で、対象物件に応じて、レール、スカートガード及び移動手摺の取付位置を微調整することができる。この微調整は、トラスの長穴の延びる方向とレール支持板の長穴の延びる方向とを異ならせることで、広範な方向を対象とした微調整を行うことができる利点があり、しかも、この利点は、あくまでも、長穴と長穴との重ね合わせという簡単な構成で実現できる。
【００２７】
以上、好ましい実施の形態を参照して本発明の内容を具体的に説明したが、本発明の基本的技術思想及び教示に基づいて、当業者であれば、種々の改変態様を採り得ることは自明である。
【００２８】
本発明は、利用者を載せた搬送部が移動することにより、利用者を目的の場所に搬送する乗客コンベヤに関して実施されるものであり、エスカレータには限定されない。よって、他の一例をあげると、動く歩道に関して実施することも可能である。
【００２９】
また、レール支持板の縦部材への固定は、締結部材を用いる態様には限定されず、例えば、溶接でもよい。
【符号の説明】
【００３０】
１  エスカレータ（乗客コンベヤ装置）、３  トラス、７  踏段、１３  移動手摺、２７  ローラ、２９  レール、３１  スカートガード、３３  ガイドパッド、３５  レール支持板、３７  締結部材、３９，４１  長穴。
【図１】
2013103016.tif 000003
【図２】
2013103016.tif 000004
【図３】
2013103016.tif 000005
【図４】
2013103016.tif 000006
【図５】
2013103016.tif 000007
【図６】
2013103016.tif 000008
【図７】
2013103016.tif 000009
【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
循環移動される複数の踏段と、
前記複数の踏段と同期して循環移動される移動手摺と、
前記複数の踏段及び前記移動手摺を支持するトラスとを備え、
前記複数の踏段にはそれぞれ少なくとも一つのローラが設けられており、
前記ローラは、対応するレールによって案内されており、
前記レールは、前記トラスに支持されたレール支持板に固定されており、
前記移動手摺は前記レール支持板に固定されている、
乗客コンベヤ装置。
【請求項２】
前記複数の踏段の側方には、スカートガードが設けられており、
前記トラスに支持された前記レール支持板には、前記レール、前記スカートガード及び前記移動手摺が固定されている、
請求項１の乗客コンベヤ装置。
【請求項３】
前記踏段の側部には、ガイドパッドが取り付けられており、
前記複数の踏段は、前記ガイドパッドが前記スカートガードに当接することによって、幅方向の余分な移動が規制される、
請求項２の乗客コンベヤ装置。
【請求項４】
前記トラス及び前記レール支持板にはそれぞれ、長穴が形成されており、
前記トラスの前記長穴と、前記レール支持板の前記長穴とを、貫通する締結部材によって、該トラス及び該レール支持板が連結されており、
前記トラスの前記長穴の延びる方向と、前記レール支持板の前記長穴の延びる方向とは、穴の貫通方向でみて異なっている、
請求項１乃至３の何れか一項の乗客コンベヤ装置。
【国際調査報告】
2013103016.tif 000010
2013103016.tif 000011
2013103016.tif 000012
2013103016.tif 000013